(57)【要約】【課題】安全性及び整備性を向上させた遠隔制御電子錠を提供する。【解決手段】家屋２内に設置され、電子錠４制御を行う電子錠制御部５と、管理センタ６内に設置されるとともにユーザ端末９とネットワーク８を介して接続され、ユーザ端末９から電子錠の動作要求を受信し、ユーザの認証を行い、認証の結果、ユーザの正当性が確認されると、電子錠制御部５に電子錠４を動作させる応答部７とを設ける。【選択図】  図１
2004300686.tif 000002
【特許請求の範囲】
【請求項１】
ユーザにより遠隔制御される遠隔制御電子錠であって、
前記建築物のドア内に設置された電子錠と、
前記建築物内に設置され、前記電子錠の制御を行う電子錠制御手段と、
管理センタ内に設置されるとともに前記ユーザの使用するユーザ端末とネットワークを介して接続され、前記ユーザ端末から前記電子錠の動作要求を受信し、前記ユーザの認証を行う認証手段と、
前記管理センタ内に設置され、前記認証の結果、前記ユーザの正当性が確認されると、前記電子錠制御手段に前記電子錠を動作させるための指示信号を生成する指示信号生成手段と、
前記管理センタ内に設置され、前記指示信号を前記電子錠制御手段に送信する指示信号送信手段とを有することを特徴とする遠隔制御電子錠。
【請求項２】
前記管理センタ内に設置され、前記ユーザの声紋データを記憶する声紋データ記憶手段と、
前記管理センタ内に設置され、前記認証手段により前記動作要求が受信されると、単語をランダムに組み合わせることにより非定型文章を作成する非定型文章作成手段と、
前記管理センタ内に設置され、前記非定型文章を音声に変換する音声変換手段と、
前記管理センタ内に設置され、前記変換された音声を前記ユーザに送信する音声送信手段と、
前記管理センタ内に設置され、前記送信された音声と同じ内容の音声が前記ユーザにより発せられると、該ユーザにより発せられた音声を受信する音声受信手段とを有し、
前記認証手段は、前記受信された音声を解析し、前記声紋データと比較することにより認証を行う手段である
ことを特徴とする請求項１に記載の遠隔制御電子錠。
【請求項３】
前記非定型文章作成手段は、
複数の単語を記憶する単語記憶手段と、
乱数表を用いて前記単語記憶手段から単語を抽出し、該抽出した単語から前記非定型文章を作成する抽出作成手段とを有することを特徴とする請求項２に記載の遠隔制御電子錠。
【発明の詳細な説明】
【０００１】
【発明の属する技術分野】
本発明は、ユーザにより遠隔制御が可能な遠隔制御電子錠に関する。
【０００２】
【従来の技術】
電子錠の一例としては、ユーザが携帯端末等を用いて発信者番号を送信し、これに基づいて認証を行うことによりユーザの正当性を確認し、その後に電子錠に動作を行わせるものが挙げられる（例えば、特許文献１参照）。
【０００３】
図８は、上記のような電子錠の一例を示す図である。
この電子錠は、応答部１０１と、制御部１０２と、錠機構１０３とを有する。
【０００４】
応答部１０１は、ユーザ１００に対して質問、ＩＤの要求を行い、ユーザ１００からの応答、ＩＤに基づいて音声認証を行い、制御部１０２は、認証によりユーザの正当性が確認されると、錠機構１０３を制御して動作を行わせる。
【０００５】
また、電子錠には遠隔制御を行うことが可能なものもあり、図９は、その一例を示す図である。
この電子錠は、ユーザ端末２００とネットワーク２０１を介して接続されており、応答部２０２と、制御部２０３と、制御部２０３と、錠機構２０４とを有する。
【０００６】
応答部２０２は、ユーザ端末２００に対して質問、ＩＤの要求を行い、ユーザ端末からの応答、ＩＤに基づいて音声認証を行い、制御部２０３は、認証によりユーザの正当性が確認されると、錠機構２０４を制御して動作を行わせる。
【０００７】
【特許文献１】
特開２００２−２４２５０２号公報（第６頁、第１図）
【０００８】
【発明が解決しようとする課題】
しかしながら、図８及び図９に示した電子錠は、ＩＤと応答（キーワード）により認証を行うため、キーワードが第３者に漏洩した場合、この第３者がユーザ本人を装うことが可能となり、この第３者をユーザであると誤認識してしまう場合がある。
【０００９】
また、応答部を各家屋に設けていることにより、音声認証機構の更改や保守点検を各家屋に赴いて行う必要がある。
【００１０】
また、図８に示した電子錠は、応答部及び制御部が家屋の外壁内部や外壁面に設置されており、第３者により物理的被害を被る可能性がある。
【００１１】
このような事情に鑑み、本発明は、安全性及び整備性を向上させた遠隔制御電子錠を提供することを目的とする。
【００１２】
【課題を解決するための手段】
請求項１に記載の本発明は、ユーザにより遠隔制御される遠隔制御電子錠であって、建築物のドア内に設置された電子錠と、建築物内に設置され、電子錠の制御を行う電子錠制御手段と、管理センタ内に設置されるとともにユーザの使用するユーザ端末とネットワークを介して接続され、ユーザ端末から電子錠の動作要求を受信し、ユーザの認証を行う認証手段と、管理センタ内に設置され、認証の結果、ユーザの正当性が確認されると、電子錠制御手段に電子錠を動作させるための指示信号を生成する指示信号生成手段と、管理センタ内に設置され、指示信号を電子錠制御手段に送信する指示信号送信手段とを有することを要旨とする。
【００１３】
請求項２に記載の本発明は、請求項１に記載の発明において、管理センタ内に設置され、ユーザの声紋データを記憶する声紋データ記憶手段と、管理センタ内に設置され、認証手段により動作要求が受信されると、単語をランダムに組み合わせることにより非定型文章を作成する非定型文章作成手段と、管理センタ内に設置され、非定型文章を音声に変換する音声変換手段と、管理センタ内に設置され、変換された音声をユーザに送信する音声送信手段と、管理センタ内に設置され、送信された音声と同じ内容の音声がユーザにより発せられると、ユーザにより発せられた音声を受信する音声受信手段とを有し、認証手段は、受信された音声を解析し、声紋データと比較することにより認証を行う手段であることを要旨とする。
【００１４】
請求項３に記載の本発明は、請求項２に記載の発明において、非定型文章作成手段は、複数の単語を記憶する単語記憶手段と、乱数表を用いて単語記憶手段から単語を抽出し、抽出した単語から非定型文章を作成する抽出作成手段とを有することを要旨とする。
【００１５】
【発明の実施の形態】
以下、図面を用いつつ本発明の遠隔制御電子錠についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これらに関する反復説明は省略する。
【００１６】
図１は、本発明の一実施の形態に係る遠隔制御電子錠１の構成を示すブロック図であり、図示するとおり、遠隔制御電子錠１は、建築物（本実施の形態においては家屋２）のドア３内に設置された電子錠４と、家屋２の屋内に設置された電子錠制御部５と、管理センタ６内に設置された応答部７とを有し、応答部７は、移動体通信網とのネットワーク８を介して移動体通信端末等のユーザ端末９と接続されている。
【００１７】
なお、本図においては、電子錠４及び電子錠制御部５を其々１個のみ示しているが、応答部７が其々が別の家屋に設置された複数の電子錠及び電子錠制御部に接続される構成とすることもできる。
【００１８】
図２は、図１の電子錠４の詳細を示すブロック図であり、図示するとおり、電子錠４は、錠機構４１と、電子錠駆動部４２と、状態確認部４３とを有する。
【００１９】
電子錠駆動部４２は、電子錠制御部５により制御され、錠機構４１を駆動させるためのものであり、状態確認部４３は、錠機構の状態、つまり開状態にあるかもしくは閉状態にあるかの確認を行い、その状態を示す状態信号を電子錠制御部に送信し、これに基づいて電子錠制御部５は、電子錠駆動部４２の制御を行う。
【００２０】
図３は、図１の電子錠制御部５の詳細を示すブロック図であり、図示するとおり、電子錠制御部５は、信号中継部５１と、制御実行部５２とを有する。
【００２１】
制御実行部５２は、図２の状態確認部４３からの信号に基づいて図２の電子錠駆動部４２の動作を制御する。なお。信号中継部５１については後述する。
【００２２】
図４は、図１の応答部７の詳細を示すブロック図であり、図示するとおり、応答部７は、管理部７１と、単語記憶部７２と、文章作成部７３と、音声変換部７４と、送受信部７５と、ユーザ情報記憶部７６と、認証実行部７７と、指示信号生成部７８と、信号中継部７９とを有する。
【００２３】
送受信部７５は、請求項に記載の音声送信手段に含まれる送信部７５ａと、請求項に記載の音声受信手段に含まれる受信部７５ｂとを有し、ネットワーク８を介して図１のユーザ端末９と通信を行うためのものである。
【００２４】
ユーザ情報記憶部７６は、請求項に記載の声紋データ記憶手段に含まれ、ユーザＩＤと、このユーザの声紋パターン情報とを対応付けて記憶する。
【００２５】
文章作成部７３は、請求項に記載の非定型文章作成手段及び抽出作成手段に含まれ、前記の声紋パターン情報を登録するための登録用文章と、認証を行うための非定型文章を作成する。上記の各文章を生成するにあたっては、乱数表を用いて、単語記憶部７２から単語をランダムに抽出し、これらが組み合わせられる。なお、登録用文章及び非定型文章の詳細については後述する。また、単語記憶部７２は、請求項に記載の単語記憶手段に含まれる。
【００２６】
音声変換部７４は、請求項に記載の音声変換手段に含まれ、文章作成部７３により作成された文章を音声変換し、送信部７５ａ及びネットワーク８を介してユーザ端末９へ送信する。
【００２７】
認証実行部７７は、請求項に記載の認証手段に含まれ、ユーザにより発せられた非定型文章（音声）と同じ内容の音声を受信部７５を介して受信し、解析を行う。そして、この解析結果とユーザ情報記憶部に記憶された声紋パターンとを比較することにより、認証を行う。
【００２８】
指示信号生成部７８は、請求項に記載の指示信号生成手段に含まれ、認証により、発声者が正当なユーザであると確認されると、電子錠にユーザが所望した動作をさせるための指示信号を生成する。
【００２９】
信号中継部７９は、請求項に記載の指示信号送信手段に含まれ、指示信号を電子錠制御部５に送信し、図３の信号中継部５１はこれを中継し、制御実行部５２は、図２の電子錠駆動部４２を制御し、錠機構に所定の動作をさせる。
管理部７１は、上記の各部の動作を管理する。
【００３０】
図５は、図１の遠隔制御電子錠１の声紋データ登録時における作用を示すシーケンス図である。
ユーザ端末９（図１）より声紋登録要求信号及びＩＤが送信されると（Ｓ１ａ）、応答部７の文章作成部７３（図４）により受信部７５ｂ（図４）を介して受信され（Ｓ２ａ）、乱数表を用いて単語記憶部７２（図４）より単語が抽出され（Ｓ３ａ）、登録用文章が作成される（Ｓ４ａ）。作成された文章は、音声変換部７４（図４）により音声変換され（Ｓ５ａ）、送信部７５ａ（図４）によりユーザ端末９に送信される（Ｓ６ａ）。
【００３１】
ユーザ端末９は、登録用文章（音声）を受信し、ユーザによりこれと同じ内容の音声が発せられると（Ｓ７ａ）、応答部７のユーザ情報記憶部７６（図４）により受信部７５ｂ（図４）を介して受信され（Ｓ８ａ）、さらに声紋解析が行われ（Ｓ９ａ）、これにより得られた声紋データがＩＤと対応付けて記憶され（Ｓ１０ａ）、その結果が送信部７５ａ（図４）を介してユーザ端末９に送信され（Ｓ１１ａ）、ユーザ端末９により受信される（Ｓ１２ａ）
なお、本図においては、登録用文章が単語記憶部に記憶された単語に基づいて作成される場合を示したが、これに限定されず、登録用文章を予め用意しておく構成としても良い。
【００３２】
また、上記の電子錠は、ドア３内部に設置されており、屋外に露出していない、また、電子錠制御部５は、屋内に設置されており、第３者により損傷を被ることを防止できる。
【００３３】
また、応答部７は、管理センタ内に配置されているため、音声認証機構の更改や保守点検を行うにあたって、家屋に赴く必要がなく、さらに複数個の家屋其々設置された遠隔制御電子錠全てに対する更改や保守点検を集中して行うことができる。
【００３４】
図６は、図１の遠隔制御電子錠１の認証時における作用を示すシーケンス図である。
ユーザ端末９（図１）より認証要求信号及びＩＤが送信されると（Ｓ１ｂ）、応答部７の文章作成部７３（図４）により受信部７５ｂ（図４）を介して受信され（Ｓ２ｂ）、乱数表を用いて単語記憶部７２（図４）より単語が抽出され（Ｓ３ｂ）、非定型文章が作成される（Ｓ４ｂ）。作成された文章は、音声変換部７４（図４）により音声変換され（Ｓ５ｂ）、送信部７５ａ（図４）によりユーザ端末９に送信される（Ｓ６ｂ）。
【００３５】
ユーザ端末９は、非定型文章（音声）を受信し、ユーザによりこれと同じ内容の音声が発せられると（Ｓ７ｂ）、応答部７の認証実行部７７（図４）により受信部７５ｂ（図４）を介して受信され（Ｓ８ｂ）、さらに声紋解析が行われ（Ｓ９ｂ）、これにより得られた声紋データとユーザ情報記憶部に記憶されていた声紋データとを比較することにより認証が行われ（Ｓ１０ｂ）、その結果が送信部７５ａを介してユーザ端末９に送信され（Ｓ１１ｂ）、ユーザ端末９により受信される（Ｓ１２ａ）。なお、作成される非定型文章は、毎回異なり、同じ文章が二度使用されることはない。
【００３６】
認証の結果、発声者が正当なユーザである確認された場合、ユーザ端末９から動作指示（音声）が送信され（Ｓ１３ｂ）、指示信号生成部７８（図４）は、受信された動作指示に基づいて指示信号を生成し（Ｓ１４ｂ）、生成された指示信号は、信号中継部７９（図４）により電子錠制御部５に送信され（Ｓ１５ｂ）、送信された指示信号は信号中継部５１（図３）により受信され、制御実行部５２（図３）により指示信号と状態確認部４３（図２）から送信された状態信号との整合性が取られ、整合性が取られると電子錠駆動部４２（図２）が制御され、錠機構４１（図２）がユーザの所望する動作を行う。
【００３７】
図７（ａ）は、図４の単語記憶部７２に記憶される単語表７２ａの一例を示す図であり、図示するとおり、複数の単語が記憶されており、文章作成部７３が乱数表を用いてランダムにこれらの単語を抽出し、組み合わせることにより、図７（ｂ）に示すような文章７３ａが作成される。この文章は、第３者が予測不可能であり、さらに、前述のとおり、同じ文章は２度と用いられないため、第３者がユーザを装うことを防止できる。
【００３８】
上記のような本発明の遠隔制御電子錠の電子錠制御部及び応答部としては、ＣＰＵ（Ｃｅｎｔｒａｌ  Ｐｒｏｃｅｓｓｉｎｇ  Ｕｎｉｔ）、ハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、キーボード、ディスプレイ、フレキシブルディスクドライブ、通信ネットワークに接続して通信を行うための通信部等を有したコンピュータを用いることが可能である。これにあたっては、コンピュータに前述の各処理を実行させるためのプログラムを読み取らせ、実行させる。
【００３９】
したがって、上記のプログラムと、このプログラムを記録したフレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＰＣカード等のコンピュータで読み取り可能なプログラム記録媒体も本発明の範囲に含まれる。
【００４０】
【発明の効果】
以上のとおり本発明の遠隔制御電子錠においては、電子錠はドア内部に設置されており、また、電子錠制御手段は屋内に設置されているため、第３者により損傷を被ることを防止できる。
【００４１】
また、認証手段は、管理センタ内に配置されているため、音声認証機構の更改や保守点検を行うにあたって、家屋に赴く必要がなく、さらに複数個の家屋其々設置された遠隔制御電子錠全てに対する更改や保守点検を集中して行うことができる。
【００４２】
また、複数の単語を記憶し、乱数表を用いて単語を抽出し、抽出した単語をランダムに組み合わせることにより認証用の非定型文章を作成するため、第３者がユーザを装うことを防止できる。
【００４３】
以上の点から、安全性及び整備性を向上させた遠隔制御電子錠を提供することが可能となる。
【図面の簡単な説明】
【図１】本発明の一実施の形態に係る遠隔制御電子錠の構成を示すブロック図である。
【図２】図１の電子錠の詳細を示すブロック図である。
【図３】図１の電子錠制御部の詳細を示すブロック図である。
【図４】図１の応答部の詳細を示すブロック図である。
【図５】図１の遠隔制御電子錠の声紋データ登録時における作用を示すシーケンス図である。
【図６】図１の遠隔制御電子錠の認証時における作用を示すシーケンス図である。
【図７】（ａ）図４の単語記憶部に記憶される単語の一例を示す図である。
（ｂ）図４の文章作成部により作成される非定型文章の一例を示す図である。
【図８】従来の電子錠の一例を示す図である。
【図９】従来の電子錠の別の一例を示す図である。
【符号の説明】
１  遠隔制御電子錠
２  家屋
３  ドア
４  電子錠
５  電子錠制御部
６  管理センタ
７  応答部
８  ネットワーク
９  ユーザ端末
４１  錠機構
４２  電子錠駆動部
４３  状態確認部
５１  信号中継部
５２  制御実行部
７１  管理部
７２  単語記憶部
７３  文章作成部
７４  音声変換部
７５  送受信部
７５ａ  送信部
７５ｂ  受信部
７６  ユーザ情報記憶部
７７  認証実行部
７８  指示信号生成部
７９  信号中継部
【図１】
2004300686.tif 000003
【図２】
2004300686.tif 000004
【図３】
2004300686.tif 000005
【図４】
2004300686.tif 000006
【図５】
2004300686.tif 000007
【図６】
2004300686.tif 000008
【図７】
2004300686.tif 000009
【図８】
2004300686.tif 000010
【図９】
2004300686.tif 000011